(57)【要約】  エレベータ保守作業員が手摺装置の組立及び収納作業の際に、手摺装置の転倒を防止するために屈んで行う作業を不要とし、組立作業及び収納作業が容易で、安価に構成することができるエレベータのかご上手摺装置を提供する。このため、手摺装置の縦柱の下端部に、組立状態において上下に配置される上段ピン及び下段ピンを設けるとともに、縦柱の下端部をかごの上部に回動自在に連結する連結部に、上段ピン及び下段ピンの一方に係合して縦柱を上下方向に所定距離案内するガイド部と、上段ピン及び下段ピンの他方が上方から係合することにより、手摺装置の組立状態において縦柱の回動を規制する規制部とを備える。【特許請求の範囲】
【請求項１】
エレベータの保守作業時にかごの上部に起立されるとともに、不要時に前記かごの上部に折り畳まれて収納されるかご上手摺装置において、手摺及びこの手摺を支持する縦柱を有する手摺装置と、前記縦柱の下端部に設けられ、前記手摺装置の組立状態において上下に配置される上段ピン及び下段ピンと、前記かごの上部に設けられ、前記縦柱の下端部が回動自在に連結された連結部とを備え、前記連結部は、前記上段ピン及び前記下段ピンの一方に係合して前記縦柱を上下方向に所定距離案内するガイド部と、前記上段ピン及び前記下段ピンの他方が上方から係合することにより、前記手摺装置の組立状態において前記縦柱の回動を規制する規制部とを有することを特徴とするエレベータのかご上手摺装置。
【請求項２】
連結部は、所定の間隔を有して立設された平行板を備え、前記平行板間に手摺装置の縦枠の下端部が配置されるとともに、前記各平行板に、上下方向に長手方向を有し、上段ピン及び下段ピンの一方が遊貫して配置された長孔からなるガイド部と、上方に開口した溝からなる規制部とが形成されたことを特徴とする請求項１に記載のエレベータのかご上手摺装置。
【請求項３】
手摺装置は、かご上部の右側及び左側に配置される右手摺及び左手摺と、この右手摺及び左手摺の少なくとも一方に回動自在に設けられ、前記かご上部の後側に配置される後手摺とを備え、前記手摺装置の収納状態において、前記右手摺及び前記左手摺の一方に他方が載置されるとともに、後手摺が、前記右手摺及び左手摺の厚み内に収納されることを特徴とする請求項１又は請求項２に記載のエレベータのかご上手摺装置。
【請求項４】
連結部は、かご室の上面より上方に配置されたかご上枠に設けられ、手摺装置の組立状態において、前記縦枠が前記かご枠上に載置されて前記手摺装置に作用する垂直荷重を前記かご上枠で支持することを特徴とする請求項１から請求項３の何れかに記載のエレベータのかご上手摺装置。
【請求項５】
収納状態における手摺装置は、かご上枠上に水平に配置されることを特徴とする請求項４に記載のエレベータのかご上手摺装置。
【請求項６】
手摺装置の組立状態において縦柱の回動を規制する上段ピン及び下段ピンの他方は、乗込み側に配置された前記縦柱にのみ設けられたことを特徴とする請求項１から請求項５の何れかに記載のエレベータのかご上手摺装置。
【請求項７】
手摺装置は、かごの上部に対して着脱自在に設けられるとともに、前記かごに対して前後逆向きに取付可能なことを特徴とする請求項１から請求項６の何れかに記載のエレベータのかご上手摺装置。
【請求項８】
組立状態における手摺装置の縦柱が上下方向に移動することを規制する浮き上がり防止手段を備えたことを特徴とする請求項１から請求項７の何れかに記載のエレベータのかご上手摺装置。
【発明の詳細な説明】
【技術分野】
【０００１】
この発明は、エレベータの保守作業時にかごの上部に起立されるとともに、不要時にかごの上部に折り畳まれて収納されるかご上手摺装置に関するものである。
【背景技術】
【０００２】
エレベータの保守作業時、保守作業員はエレベータ昇降路内を昇降するかごの上に乗って作業を行うことが多い。このため、かごの上部には、保守作業時の安全性を確保するため、かご上手摺装置が設置されている。なお、かご上手摺装置の従来技術として、かごの両側等に配置される手摺装置を折り畳み可能に構成して、昇降路頂部の必要空間を縮小させたものが提案されている（例えば、特許文献１参照）。【０００３】
【特許文献１】日本特開２０００−１４３１２５号公報（図３）
【発明の開示】
【発明が解決しようとする課題】
【０００４】
特許文献１記載のエレベータのかご上手摺装置では、折り畳み可能に構成された手摺装置をかごの上部で組み立てる際に、組立後の手摺装置の転倒を防止するストッパやラッチ機構等を作業者が屈んだ状態で操作しなければならず、作業性が悪いという問題があった。また、ストッパやラッチ機構の構造が複雑化して、コスト高を招来する要因ともなっていた。さらに、伸縮式の手摺装置をピンやボルトによって支持する場合には、手摺装置に掛かる垂直荷重が全てピン等にせん断力として作用するため、強固で高価なピン等の使用を余儀なくされていた。【０００５】
この発明は、かかる問題を解決するためになされたもので、その目的は、組立作業及び収納作業が容易で、安価に構成することができるエレベータのかご上手摺装置を提供することである。
【課題を解決するための手段】
【０００６】
この発明に係るエレベータのかご上手摺装置は、エレベータの保守作業時にかごの上部に起立されるとともに、不要時にかごの上部に折り畳まれて収納されるかご上手摺装置において、手摺及びこの手摺を支持する縦柱を有する手摺装置と、縦柱の下端部に設けられ、手摺装置の組立状態において上下に配置される上段ピン及び下段ピンと、かごの上部に設けられ、縦柱の下端部が回動自在に連結された連結部とを備え、連結部は、上段ピン及び下段ピンの一方に係合して縦柱を上下方向に所定距離案内するガイド部と、上段ピン及び下段ピンの他方が上方から係合することにより、手摺装置の組立状態において縦柱の回動を規制する規制部とを有するものである。
【発明の効果】
【０００７】
この発明は、エレベータの保守作業時にかごの上部に起立されるとともに、不要時にかごの上部に折り畳まれて収納されるかご上手摺装置において、手摺及びこの手摺を支持する縦柱を有する手摺装置と、縦柱の下端部に設けられ、手摺装置の組立状態において上下に配置される上段ピン及び下段ピンと、かごの上部に設けられ、縦柱の下端部が回動自在に連結された連結部とを備え、連結部は、上段ピン及び下段ピンの一方に係合して縦柱を上下方向に所定距離案内するガイド部と、上段ピン及び下段ピンの他方が上方から係合することにより、手摺装置の組立状態において縦柱の回動を規制する規制部とを有する構成としたので、組立作業及び収納作業が容易で、安価に構成することができる。
【図面の簡単な説明】
【０００８】
【図１】図１は、この発明の実施例１におけるエレベータのかご上手摺装置の構成を示す側面図である。
【図２】図２は、図１に示すエレベータのかご上手摺装置の平面図である。
【図３】図３は、図１に示すエレベータのかご上手摺装置の正面図である。
【図４】図４は、図１に示すエレベータのかご上手摺装置のＡ部詳細図である。
【図５】図５は、図４に示すエレベータのかご上手摺装置の正面図である。
【図６】図６は、図１に示すエレベータのかご上手摺装置のＢ部詳細図である。
【図７】図７は、図６に示すエレベータのかご上手摺装置のＸ−Ｘ断面図である。
【図８】図８は、この発明の実施例１におけるエレベータのかご上手摺装置の折り畳み動作を説明する要部詳細図である。
【図９】図９は、この発明の実施例１におけるエレベータのかご上手摺装置の折り畳み動作を説明する側面図である。
【図１０】図１０は、この発明の実施例１におけるエレベータのかご上手摺装置の折り畳み動作を説明する正面図である。
【図１１】図１１は、図１０に示すエレベータのかご上手摺装置のＣ部詳細図である。
【図１２】図１２は、この発明の実施例１におけるエレベータのかご上手摺装置の折り畳み動作を説明する正面図である。
【図１３】図１３は、この発明の実施例２におけるエレベータのかご上手摺装置の構成を示す平面図である。
【図１４】図１４は、図１３に示すエレベータのかご上手摺装置のＹ−Ｙ断面図である。
【図１５】図１５は、この発明の実施例２におけるエレベータのかご上手摺装置の構成を示す正面図である。
【図１６】図１６は、この発明の実施例２におけるエレベータのかご上手摺装置の構成を説明する図である。
【図１７】図１７は、この発明の実施例３におけるエレベータのかご上手摺装置の折り畳み動作を説明する側面図である。
【図１８】図１８は、図１７に示すエレベータのかご上手摺装置のＤ部詳細図である。
【図１９】図１９は、図１８に示すエレベータのかご上手摺装置の正面図である。
【図２０】図２０は、この発明の実施例４におけるエレベータのかご上手摺装置の折り畳み動作を説明する側面図である。
【図２１】図２１は、この発明の実施例４におけるエレベータのかご上手摺装置の折り畳み動作を説明する側面図である。
【図２２】図２２は、この発明の実施例５におけるエレベータのかご上手摺装置の要部側面図である。
【図２３】図２３は、図２２に示すエレベータのかご上手摺装置の正面図である。
【符号の説明】
【０００９】
１  かご室
２  緩衝材
３  かご枠
４  かご下枠
５  かご枠柱
６  かご上枠
７  かご戸駆動装置
８  かご戸
９ａ、９ｂ  側梁
１０  前梁
１１  後梁
１２  手摺装置
１３  右手摺
１４  左手摺
１５  後手摺
１６、３２  連結部
１７、２３  縦柱
１７ａ  貫通孔
１８、２４  上手摺
１９、２５  下手摺
２０、３３  下段ピン
２１  上段ピン
２２、３４  取付金具
２２ａ、３４ａ  ガイド孔
２２ｂ  ストッパ溝
２６  回動装置
２６ａ、２６ｂ  支持金具
２６ｃ、３５ａ  ピン
２７、２７ｃ、２８  係止装置
２７ａ  取付板
２７ｂ  蝶ボルト
２９  右側後手摺
３０  左側後手摺
３１  嵩上げ台
３５  浮き上がり防止手段
３５ｂ  クサリ
３６  ボルト
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【実施例１】
【００１１】
図１はこの発明の実施例１におけるエレベータのかご上手摺装置の構成を示す側面図、図２は図１に示すエレベータのかご上手摺装置の平面図、図３は図１に示すエレベータのかご上手摺装置の正面図である。また、図４は図１に示すエレベータのかご上手摺装置のＡ部詳細図、図５は図４に示すエレベータのかご上手摺装置の正面図、図６は図１に示すエレベータのかご上手摺装置のＢ部詳細図、図７は図６に示すエレベータのかご上手摺装置のＸ−Ｘ断面図である。【００１２】
図１乃至図７において、１はエレベータ利用者が乗降するかご室であり、このかご室１は、複数の緩衝材２を介してかご枠３に支持されている。かご枠３は、かご室１の下方に配置されてこのかご室１を支持するかご下枠４と、下端部がかご下枠４に設けられ、かご室１の両側にそれぞれ配置された横断面が略コ字状を呈するかご枠柱５と、かご室１の上面より上方に配置されて各かご枠柱５の上端部をかごの間口方向で接続するかご上枠６とにより構成される。また、７はかご上枠６のかご出入口側に設けられ、かご出入口の開閉を行うかご戸８を駆動するかご戸駆動装置である。【００１３】
上記かご上枠６は、その中間部が各かご枠柱５の上端部に固定されてかごの奥行方向に配置された左右の梁からなる側梁９ａ及び９ｂと、側梁９ａ及び９ｂの各前側端部間に渡って設けられ、この側梁９ａ及び９ｂの各前側端部をかごの間口方向で接続する前梁１０と、側梁９ａ及び９ｂの各後側端部間に渡って設けられ、この側梁９ａ及び９ｂの各後側端部をかごの間口方向で接続する後梁１１とから構成され、全体として略四角環状を呈している。また、かご上枠６を構成する側梁９ａ及び９ｂ、前梁１０、後梁１１は、それぞれ角パイプで構成されており、前梁１０及び後梁１１は、各両端部が側梁９ａ及び９ｂに溶接接合されている。【００１４】
次に、エレベータ保守作業員の安全性を確保するためにかご上に設けられた手摺装置１２の構成について説明する。なお、この手摺装置１２は、昇降路頂部の省スペース化を実現するため、折り畳み可能に構成されており、図１乃至図７では、手摺装置１２がエレベータ保守点検時に組み立てられてかご上部に起立された状態（以下、「組立状態」という）を示している。上記手摺装置１２は、その組立状態においてエレベータの乗場側から見てかご上部の右側及び左側に配置される右手摺１３及び左手摺１４と、かご上部の後側に配置される後手摺１５とから構成される。なお、１６はかご上枠６の前梁１０の両端部及び後梁１１の両端部設けられ、右手摺１３及び左手摺１４の下端部を所定角度内回動自在に連結する連結部である。【００１５】
上記右手摺１３及び左手摺１４は、かごの前側及び後側に配置された２本の縦柱１７と、両縦柱１７の各上端部に溶接接合され、この縦枠１７の各上端部をかごの奥行方向で接続する上手摺１８と、両縦柱１７の各中間部に溶接接合され、上手摺１８と略平行となるようにかごの奥行方向に配置された下手摺１９とから構成される。なお、上手摺１８及び下手摺１９、並びに、この上手摺１８及び下手摺１９を支持する各縦柱１７は、それぞれ角パイプによって形成されている。【００１６】
また、各縦柱１７の下端部には、手摺装置１２の組立状態において上下に配置される下段ピン２０及び上段ピン２１が設けられている。ここで、下段ピン２０と上段ピン２１とは、互いに平行となるようにかごの奥行方向に配置され、各両端部が、縦枠１７の前側側面及び後側側面から所定距離突出するように設けられている。そして、各縦柱１７の下端部を前梁１０及び後梁１１に回動自在に連結する連結部１６には、下段ピン２０及び上段ピン２１の一方に係合して縦柱１７を上方に所定距離案内するガイド部と、下段ピン２０及び上段ピン２１の他方が上方から係合することにより、手摺装置１２の組立状態において縦柱１７の回動を規制する規制部とが備えられている。【００１７】
なお、実施例１における連結部１６は、横断面が略コ字状を呈するとともに、コ字状部の開放端が平面視かごの中央部を向くように、前梁１０及び後梁１１の端部上面に立設された取付金具２２から構成されている。そして、所定の間隔を有して互いに対向する取付金具２２の平行板に、上下方向に長手方向を有する長孔からなるガイド孔２２ａ（ガイド部）と、このガイド孔２２ａの上方に設けられ、上方に開口した略Ｕ字状の溝からなるストッパ溝２２ｂ（規制部）とが形成されている。【００１８】
また、取付金具２２のコ字状部内、即ち、上記平行板間には、縦柱１７の下端部が配置されている。そして、取付金具２２の各ガイド孔２２ａに下段ピン２０が遊貫して配置され、各ストッパ溝２２ｂ内に上段ピン２１が配置される。なお、手摺装置１２の組立状態においては、縦柱１７が前梁１０に直接載置されており、手摺装置１２に作用する垂直荷重及び手摺装置１２の自重が、前梁１０及び後梁１１によって支持されるように構成されている。即ち、下段ピン２０とガイド孔２２ａの下縁部、並びに、上段ピン２１とストッパ溝２２ｂの下縁部との間にはそれぞれ僅かな間隙が形成されており、下段ピン２０及び上段ピン２１には上記垂直荷重が作用することはない。【００１９】
一方、上記後手摺１５は、４本の角パイプを四角環状に溶接接合することにより形成され、両側の縦柱２３と、両縦柱２３の各上端部を接続する上手摺２４と、両縦柱２３の各下端部を接続する下手摺２５とにより構成される。そして、後手摺１５は、左側の縦柱２３が左手摺１４の後側の縦柱１７に対して回動装置２６（図１乃至図７においては図示せず）により回動自在に連結され、右側の縦柱２３が右手摺１３の後側の縦柱１７に対して係止装置２７により係止されている。ここで、後手摺１５の上手摺２４及び下手摺２５間の距離は、回動装置２６によって支持された左手摺１４の上手摺１８及び下手摺１９間の距離よりも短く、後手摺１５は、左手摺１４の上手摺１８及び下手摺１９間の高さ内に配置されている。【００２０】
また、上記係止装置２７は、図６及び図７に示すように、右手摺１３の後側の縦柱１７に設けられた略Ｌ字状を呈する取付板２７ａと、後手摺１５の右側の縦柱２３に螺嵌された蝶ボルト２７ｂとから構成される。そして、蝶ボルト２７ｂを締め付けて後手摺１５の縦枠２３側面と蝶ボルト２７ｂとによって取付板２７ａを挟持することにより、後手摺１５の右側の縦枠２３が右手摺１３の後側の縦柱１７に固定される。【００２１】
次に、エレベータの保守作業が終了して手摺装置１２が不要になった時に、この手摺装置１２をかご上に折り畳んで収納する際の動作及び構成について説明する。図８はこの発明の実施例１におけるエレベータのかご上手摺装置の折り畳み動作を説明する要部詳細図、図９はこの発明の実施例１におけるエレベータのかご上手摺装置の折り畳み動作を説明する側面図、図１０及び図１２はこの発明の実施例１におけるエレベータのかご上手摺装置の折り畳み動作を説明する正面図、図１１は図１０に示すエレベータのかご上手摺装置のＣ部詳細図である。【００２２】
エレベータの保守作業員は、先ず、係止装置２７の蝶ボルト２７ｂを弛緩させることにより、後手摺１５の右側の縦柱２３を右手摺１３の後側の縦柱１７から外し、回動装置２６を中心に後手摺１５を回転させて左手摺１４側に移動させる。この時、後手摺１５の上手摺２４及び下手摺２５間の距離が左手摺１４の上手摺１８及び下手摺１９間の距離よりも短くなるように構成されているため、後手摺１５を左手摺１４と略平行まで回転させることにより、後手摺１５を、左手摺１４の両側の縦柱１７、上手摺１８、下手摺１９によって形成された空間内に配置することができる。即ち、後手摺１５は、左手摺１４の厚み内に収納されるように構成されている。【００２３】
なお、図８は後手摺１５を左手摺１４の厚み内に配置した状態の要部を示したものである。図８において、回動装置２６は、左手摺１４の後側の縦柱１７に設けられた略コ字状を呈する支持金具２６ａと後手摺１５の左側の縦柱２３に設けられた略コ字状を呈する支持金具２６ｂとが、上下方向に軸を有するピン２６ｃによって枢設されている。そして、後手摺１５を左手摺１４の厚み内に配置した際に、上記支持金具２６ａ及び２６ｂ並びにピン２６ｃも後手摺１５と同様に左手摺１４の厚み内に配置されるように構成されている。なお、２８に示す係止装置は、後手摺１５を左手摺１４の厚み内に配置した際に、後手摺１５を左手摺１４に固定して後手摺１５を動かないようにするためのものである。【００２４】
次に、保守作業員は、右手摺１３及び左手摺１４を所定距離持ち上げてからかごの内側に折り畳み、右手摺１３をかご上枠６上に、左手摺１４をかご上枠６上に載置された右手摺１３上に載置する。なお、図１１は右手摺１３及び左手摺１４をかご上に収納する際の縦柱１７下部及び連結部１６の構成を示したものである。かかる収納作業において保守作業員は、先ず、右手摺１３を上方に持ち上げることにより、前側及び後側の縦柱１７を上方に移動させる。この時、縦柱１７の下端部は、下段ピン２０が取付金具２２に形成されたガイド孔２２ａに案内されることにより、ガイド孔２２ａの長手方向に沿って上方に移動する。なお、下段ピン２０の両端部がガイド孔２２ａを介して取付金具２２の両外側に突出しているため、下段ピン２０が取り付けられた状態では、縦柱１７を連結部１６から完全に取り外すことはできない。【００２５】
また、右手摺１３を上方に持ち上げることにより、下段ピン２０とともにこの下段ピン２０の上方に設けられた上段ピン２１も上方に移動する。そして、上段ピン２１がストッパ溝２２ｂの開口端から取付金具２２の上方に移動することにより、上段ピン２１とストッパ溝２２ｂとの係合状態が解消される。かかる状態では、下段ピン２０を中心として縦枠１７を回転させることが可能となるため、保守作業員は、縦枠１７を回転させた際に上段ピン２１が取付金具２２に干渉しない高さまで右手摺１３を持ち上げた後、右手摺１３をかごの内側に傾倒させて、かご上枠６上に載置する。【００２６】
次に、保守作業員は、上記と同様の手順により、左手摺１４をかごの内側に傾倒させて、予めかご上枠６上に折り畳まれた右手摺１３上に載置する。ここで、左手摺１４は、右手摺１３上に水平に配置される。即ち、取付金具２２に形成されたガイド孔２２ａは、左手摺１４が右手摺１３上に水平に載置された際に、右手摺１３の厚さ分上方に移動する下段ピン２０の位置に合わせて、その上下方向の長さが設定されている。なお、図１２は右手摺１３及び左手摺１４がかご上枠６上に載置されて手摺装置１２が完全に折り畳まれた状態（以下、「収納状態」という）を示したものである。【００２７】
また、エレベータ保守作業時、保守作業員は、上記収納時の逆の手順によって手摺装置１２をかご上に組み立てる。即ち、保守作業員は、先ず、かご上に載置された左手摺１４を、下段ピン２０を中心に回転させるように持ち上げる。そして、左手摺１４を直立状態とした後、縦柱１７下端部に設けられた上段ピン２１が連結部１６のストッパ溝２２ｂ内に配置されるように、左手摺１４を静かに降ろしてかご上枠６上に立設させる。また、上記と同様の手順により右手摺１３をかご上枠６上に立設させる。【００２８】
次に、保守作業員は、係止装置２８の蝶ボルトを弛緩させることにより、後手摺１５を回動自在な状態とし、回動装置２６を中心に後手摺１５を回転させて右手摺１３側に移動させる。そして、係止装置２７の蝶ボルト２７ｂを締結することにより、後手摺１５の右側の縦柱２３を右手摺１３の後側の縦柱１７に固定する。【００２９】
この発明の実施例１によれば、右手摺１３や左手摺１４を組み立てる際に縦柱１７の下端部に設けられた上段ピン２１を取付金具２２のストッパ溝２２ｂに係合させるだけで、手摺装置１２の転倒防止の効果を奏することが可能であるため、組立後の手摺装置１２の転倒を防止するためだけに備えられた従来のストッパやラッチ機構等が不要となる。したがって、手摺装置１２の転倒を防止するために保守作業員がかご上で屈んで行う作業が不要となり、作業性が向上して組立時間及び収納時間を短縮することが可能である。また、従来のストッパやラッチ機構等を備える必要がないため、構造が簡素化して手摺装置１２を安価に提供することも可能となる。【００３０】
また、手摺装置１２は、かご上面より所定距離上方に設けられたかご上枠６上に載置されて収納されるため、かご上に設置されたエレベータ機器類を破損するような恐れがなく、また、かご上面に設置されたファン等の振動が手摺装置１２に伝播して騒音を発生させるようなことも防止することができる。【００３１】
さらに、収納状態における手摺装置１２は、後手摺１５が左手摺１４の厚さ内に配置されているため、かご上枠６上に載置された手摺装置１２全体の厚さを、右手摺１３の厚さ及び左手摺１４の厚さのみに抑えることが可能である。なお、後手摺１５は、左手摺１４の厚さ内に収まらなくても、手摺装置１２の収納状態において右手摺１３と左手摺１４との厚さ内に配置することができれば、上記と同様の効果を奏することができることは言うまでもない。
【実施例２】
【００３２】
図１３はこの発明の実施例２におけるエレベータのかご上手摺装置の構成を示す平面図、図１４は図１３に示すエレベータのかご上手摺装置のＹ−Ｙ断面図である。図１３及び図１４において、手摺装置１２の後手摺１５は、右手摺１３の後側の縦柱１７に回動装置（図示せず）を介して回動自在に設けられた右側後手摺２９と、左手摺１４の後側の縦柱１７に回動装置２６を介して回動自在に設けられた左側後手摺３０とから構成される。この右側後手摺２９と左側後手摺３０とは、共に角パイプを四角環状に溶接接合することにより形成され、手摺装置１２の組立状態において隣接する縦柱同士が係止装置２７ｃにより連結される。なお、手摺装置１２を収納する際には、回動装置２６等を中心としてそれぞれ回転されて、右側後手摺２９は右手摺１３の厚み内に、また、左側後手摺３０は左手摺１４の厚み内にそれぞれ収納される。【００３３】
上記の通り後手摺１５を分割構成することにより、右側後手摺２９及び左側後手摺３０の回動範囲を狭く抑えることが可能であり、組立時及び収納時の作業性を向上させることができる。また、後手摺１５の幅が右手摺１３や左手摺１４の幅よりも広い場合、即ち、かごの幅が広い場合でも容易に対応することが可能となる。【００３４】
なお、図１５はこの発明の実施例２におけるエレベータのかご上手摺装置の構成を示す正面図、図１６はこの発明の実施例２におけるエレベータのかご上手摺装置の構成を説明する図であり、かごの幅が広い場合における手摺装置１２の構成を示したものである。図１５において、かご上枠６の左側端部上面には、略Ｚ字状を呈する嵩上げ台３１が設けられている。そして、収納状態における手摺装置１２は、左手摺１４の縦柱１７がこの嵩上げ台３１及び右手摺１３上に水平に載置されている。即ち、嵩上げ台３１は、右手摺１３の厚さと同じ高さを有し、収納状態における左手摺１４の縦柱１７の下方となる位置に配置されている。【００３５】
ここで、かごの幅が広い場合に上記嵩上げ台３１が備えられていない場合には、図１６に示すように、手摺装置１２の収納状態において左手摺１４に傾斜が生じてしまう。したがって、上記構成を有することにより、収納状態における手摺装置１２をかご上枠６上に水平に配置してその厚さを右手摺１３の厚さ及び左手摺１４の厚さのみに抑えることが可能となり、かご上機器との干渉も防止することができる。また、左手摺１４を水平に保つことができるため、かごの昇降時も安定し、振動及びビビリ音等の騒音が発生する恐れもない。なお、その他は実施例１と同様の構成及び効果を奏する。
【実施例３】
【００３６】
図１７はこの発明の実施例３におけるエレベータのかご上手摺装置の折り畳み動作を説明する側面図、図１８は図１７に示すエレベータのかご上手摺装置のＤ部詳細図、図１９は図１８に示すエレベータのかご上手摺装置の正面図である。図１７乃至図１９において、右手摺１３及び左手摺１４の前側、即ち、エレベータの乗込み側は、実施例１及び２と同様の構成を有し、かご上枠６に設けられた取付金具２２と、縦柱１７の下端部に設けられた下段ピン２０及び上段ピン２１とが備えられている。【００３７】
一方、右手摺１３及び左手摺１４の後側、即ち、エレベータの反乗込み側には、かご上枠６の後梁１１端部に立設された連結部３２と、縦柱１７の下端部に設けられた下段ピン３３とが備えられている。ここで、連結部３２は、横断面が略コ字状を呈するとともに、コ字状部の開放端が平面視かごの中央部を向くように配置された取付金具３４から構成され、所定の間隔を有して互いに対向する平行板に、上下方向に長手方向を有する長孔からなるガイド孔３４ａが形成されている。また、下段ピン３３は、実施例１及び２における下段ピン２０と同様の構成を有し、その長手方向がかごの奥行方向に配置されるとともに、両端部が、縦枠１７の前側側面及び後側側面から所定距離突出するように設けられている。即ち、反乗込み側には、実施例１及び２における上段ピン２１及びストッパ溝２２ｂに相当するものが設けられていない。【００３８】
上記の通り、乗込み側にのみ上段ピン２１と取付金具２２に形成されたストッパ溝２２ｂを備えることにより、エレベータの保守作業員が実施する手摺装置１２の組立作業及び収納作業を軽減することが可能となる。即ち、手摺装置１２の収納時、保守作業員は、右手摺１３及び左手摺１４を持ち上げてかごの内側に折り畳む際に、図１７に示すように、乗込み側の縦柱１７を持ち上げるのみで右手摺１３及び左手摺１４を折り畳み可能な状態とすることができる。したがって、右手摺１３の重量の約半分の力で収納作業を実施することができる。また、手摺装置１２の組立時にも、上段ピン２１をストッパ溝２２ｂに係合させる作業を乗込み側のみ実施すれば良く、昇降路内が暗い場合等、保守作業員から遠い位置にある反乗込み側が見づらい場合にも作業性を悪化させる恐れはない。なお、その他は、実施例１又は２と同様の構成及び効果を奏する。
【実施例４】
【００３９】
図２０及び図２１は、この発明の実施例４におけるエレベータのかご上手摺装置の折り畳み動作を説明する側面図である。図２０及び図２１において、エレベータのかご室１には、前側及び後側の双方に、かご出入口（図示せず）が形成されており、このかご出入口を開閉するかご戸８及びかご戸８を開閉駆動するかご戸駆動装置７も、かご上枠６の前側及び後側にそれぞれ設けられている。即ち、図２０及び図２１に示すエレベータは、かご室１の直線方向に２箇所のかご出入口が形成された二方口エレベータを示している。【００４０】
そして、手摺装置１２の右手摺１３、左手摺１４及び後手摺１５は、かごの上部に対して着脱自在に設けられており、かごに対して前後逆向きにしても取付可能に構成されている。即ち、下段ピン２０が縦柱１７に着脱自在に設けられ、下段ピン２０を外すことによって手摺装置１２を取付金具２２から抜くことができるように構成されている。そして、手摺装置１２を１８０度方向転換させても、縦柱１７が取付金具２２に取り付けることができるように、縦柱１７及び取付金具２２が配置されている。なお、かごの上枠６に設けられた取付金具２２には、前梁１０及び後梁１１に設けられたもの全てにストッパ溝２２ｂが形成されている。一方、縦柱１７には、その全ての下端部に下段ピン２０が着脱自在に設けられるとともに、乗込み側、即ち、後手摺１５を支持する回動装置２６や係止装置２７が取り付けられていない側の縦柱１７下端部にのみ、上段ピン２１が着脱自在に設けられている。【００４１】
かかる構成を有することにより、各階床におけるかごへの乗込み方向に合わせて手摺装置１２の配置を自由に設定することができ、二方口エレベータに容易に適用することが可能となる。また、乗込み方向が異なる場合でも共通の手摺装置１２を使用することが可能となるため、手摺装置１２の構成部品の共通化を図ることができ、種類の削減及びコスト削減を実施することが可能となる。なお、その他は、実施例１乃至３の何れかと同様の構成及び効果を奏する。
【実施例５】
【００４２】
図２２はこの発明の実施例５におけるエレベータのかご上手摺装置の要部側面図、図２３は、図２２に示すエレベータのかご上手摺装置の正面図であり、実施例５における図４及び図５相当図である。図２２及び図２３において、縦柱１７の下端部には、下段ピン２０及び上段ピン２１の長手方向と同方向に軸方向を有する貫通孔１７ａが設けられている。なお、この貫通孔１７ａは、手摺装置１２の組立状態において、取付金具２２のガイド孔２２ａ上部に配置されるように形成されている。【００４３】
また、３５は組立状態における手摺装置１２の縦柱１７が上下方向に移動することを防止する浮き上がり防止手段である。この浮き上がり防止手段３５は、所定の長さを有するピン３５ａと、一端部がピン３５ａに連結されたクサリ３５ｂとから構成され、クサリ３５ｂの他端部がボルト３６によって側梁９ａに固定されている。そして、手摺装置１２の組立状態において、ピン３５が取付金具２２に形成されたガイド孔２２ａの上部及び縦柱１７の下端部に形成された貫通孔１７ａに挿通される。【００４４】
かかる構成を有することにより、エレベータの保守作業時に手摺装置１２に上方に力が作用した場合でも、浮き上がり防止手段３５のピン３５ａがガイド孔２２ａの上縁部より上方に移動することはなく、手摺装置１２の浮き上がりを確実に防止することができる。なお、その他は実施例１乃至４の何れかと同様の構成及び効果を有する。
【産業上の利用可能性】
【００４５】
以上のように、この発明にかかるエレベータのかご上手摺装置によれば、右手摺及び左手摺の縦枠の下端部に設けられた上段ピンを、かご上枠に設けられたストッパ溝に上方から係合させるだけで、組立状態における手摺装置の転倒を防止することができるため、かご上で保守作業員が実施する手摺装置の組立作業及び収納作業が容易となり、また、手摺装置を簡素化することができるため、安価に構成することが可能となる。
【図１】
2007032080.tif 000002
【図２】
2007032080.tif 000003
【図３】
2007032080.tif 000004
【図４】
2007032080.tif 000005
【図５】
2007032080.tif 000006
【図６】
2007032080.tif 000007
【図７】
2007032080.tif 000008
【図８】
2007032080.tif 000009
【図９】
2007032080.tif 000010
【図１０】
2007032080.tif 000011
【図１１】
2007032080.tif 000012
【図１２】
2007032080.tif 000013
【図１３】
2007032080.tif 000014
【図１４】
2007032080.tif 000015
【図１５】
2007032080.tif 000016
【図１６】
2007032080.tif 000017
【図１７】
2007032080.tif 000018
【図１８】
2007032080.tif 000019
【図１９】
2007032080.tif 000020
【図２０】
2007032080.tif 000021
【図２１】
2007032080.tif 000022
【図２２】
2007032080.tif 000023
【図２３】
2007032080.tif 000024
【国際調査報告】
2007032080.tif 000025
2007032080.tif 000026